(57)【要約】  【課題】製品ごとに領域分離の結果にばらつきが生じるのを防止する。  【解決手段】スキャナで読み取ったテスト原稿画像の画像データを領域分離した後、そのテスト原稿画像の領域分離後の画像データに基づくトナー像（カラーライン画像に対応するトナー像）を搬送ベルト上に転写する。搬送ベルト上に転写されたカラーライン画像に対応するトナー像を反射型フォトセンサで検知し、そのカラーライン画像に対応するトナー像の数がテスト原稿画像に含まれるカラーライン画像の数と一致しない場合に、モノクロ文字領域とカラー文字領域とを領域分離する際に用いるパラメータを調整する。【選択図】        図４
2005184257.tif 000002
【特許請求の範囲】
【請求項１】
原稿画像を読み取るための原稿読取部を備え、この原稿読取部で読み取った原稿画像に基づくトナー像を搬送ベルトによって搬送されている用紙上に転写することができるとともに、上記搬送ベルト上に所定のトナー像を転写し、この搬送ベルトに転写されたトナー像を反射型フォトセンサで検知して、その検知結果に基づいて原稿画像と出力画像との誤差を補正する処理を行うことができるデジタル複写機であって、
上記原稿読取部で読み取った原稿画像の画像データに基づいて領域分離を行う領域分離手段と、
上記原稿読取部で読み取ったテスト原稿画像の領域分離後の画像データに基づくトナー像を上記搬送ベルト上に転写する領域分離画像転写手段と、
上記領域分離画像転写手段によって上記搬送ベルト上に転写されたトナー像を上記反射型フォトセンサで検知する領域分離画像検知手段と、
上記領域分離画像検知手段による検知結果に基づいて、上記領域分離手段によって原稿画像の領域分離を行う際に用いるパラメータを調整するパラメータ調整手段と
を含むことを特徴とするデジタル複写機。
【請求項２】
上記領域分離手段は、上記原稿読取部で読み取った原稿画像の画像データに基づいてモノクロ文字領域とカラー文字領域とを分離する手段を含み、
上記領域分離画像転写手段は、上記原稿読取部で読み取ったテスト原稿画像の画像データに基づいて領域分離したモノクロ文字領域またはカラー文字領域に対応するトナー像を上記搬送ベルト上に転写するものであり、
上記領域分離画像検知手段は、上記領域分離画像転写手段によって上記搬送ベルト上に転写されたモノクロ文字領域またはカラー文字領域に対応するトナー像を上記反射型フォトセンサで検知するものであって、
上記パラメータ調整手段は、上記領域分離画像検知手段によって検知されたモノクロ文字領域またはカラー文字領域に対応するトナー像の数が、テスト原稿画像に含まれるモノクロ文字領域またはカラー文字領域の数と一致しない場合に、上記領域分離手段によってモノクロ文字領域とカラー文字領域とを分離する際に用いるパラメータを調整するものであることを特徴とする請求項１記載のデジタル複写機。
【発明の詳細な説明】
【技術分野】
【０００１】
この発明は、デジタル複写機に関する。
【背景技術】
【０００２】
デジタル複写機の中には、スキャナで読み取った原稿画像の画像データに対して領域分離を行い、分離された領域（文字領域や網点領域など）ごとに異なる画像処理を施すことにより、用紙に形成（出力）される原稿画像に基づく画像の画質を向上できるようになっているものがある（たとえば、特許文献１参照）。この種のデジタル複写機では、たとえば、スキャナで読み取った原稿画像の画像データに含まれる各画素データを一定のパラメータと比較して、その画素データがいずれの領域に属するものであるかを判別することにより、領域分離が行われるようになっている。
【特許文献１】特開平６−１３３１５９号公報
【発明の開示】
【発明が解決しようとする課題】
【０００３】
しかしながら、製品（デジタル複写機）ごとの原稿の読み取りに関連する精度ばらつきなどに起因して、スキャナで読み取った原稿画像の画像データに含まれる各画素データを一定のパラメータと比較しても、領域分離の結果にばらつきが生じるという問題があった。
この発明は、かかる背景のもとでなされたもので、製品ごとに領域分離の結果にばらつきが生じるのを防止できるデジタル複写機を提供することを目的とする。
【０００４】
また、この発明の別の目的は、製品ごとに領域分離の結果にばらつきが生じるのを低コストで防止できるデジタル複写機を提供することである。
【課題を解決するための手段】
【０００５】
上記目的を達成するための請求項１記載の発明は、原稿画像を読み取るための原稿読取部（１５）を備え、この原稿読取部で読み取った原稿画像に基づくトナー像を搬送ベルト（１２）によって搬送されている用紙上に転写することができるとともに、上記搬送ベルト上に所定のトナー像を転写し、この搬送ベルトに転写されたトナー像を反射型フォトセンサ（１７）で検知して、その検知結果に基づいて原稿画像と出力画像との誤差を補正する処理を行うことができるデジタル複写機（１）であって、上記原稿読取部で読み取った原稿画像の画像データに基づいて領域分離を行う領域分離手段（２０，２２）と、上記原稿読取部で読み取ったテスト原稿画像の領域分離後の画像データに基づくトナー像を上記搬送ベルト上に転写する領域分離画像転写手段（２，Ｓ３）と、上記領域分離画像転写手段によって上記搬送ベルト上に転写されたトナー像を上記反射型フォトセンサで検知する領域分離画像検知手段（１７，Ｓ４）と、上記領域分離画像検知手段による検知結果に基づいて、上記領域分離手段によって原稿画像の領域分離を行う際に用いるパラメータを調整するパラメータ調整手段（２０，Ｓ６）とを含むことを特徴とするデジタル複写機である。
【０００６】
なお、括弧内の英数字は、後述の実施形態における対応構成要素などを表す。以下、この項において同じ。
この構成によれば、搬送ベルト上に転写されたテスト原稿画像の領域分離後の画像データに基づくトナー像を反射型フォトセンサで検知し、その検知結果に基づいて領域分離を行う際に用いるパラメータを調整することができる。したがって、製品（デジタル複写機）ごとに同じテスト原稿を用いて領域分離のパラメータの調整を行うことにより、製品ごとに領域分離の結果にばらつきが生じるのを防止できる。
【０００７】
特に、デジタル複写機にもともと備えられている搬送ベルトや反射型フォトセンサを用いて領域分離のパラメータの調整を行うことができるので、新たな部材を設けることなく低コストで、製品ごとに領域分離の結果にばらつきが生じるのを防止できる。
請求項２記載の発明は、上記領域分離手段（２０，２２）は、上記原稿読取部（１５）で読み取った原稿画像の画像データに基づいてモノクロ文字領域とカラー文字領域とを分離する手段を含み、上記領域分離画像転写手段（２，Ｓ３）は、上記原稿読取部で読み取ったテスト原稿画像の画像データに基づいて領域分離したモノクロ文字領域またはカラー文字領域に対応するトナー像を上記搬送ベルト（１２）上に転写するものであり、上記領域分離画像検知手段（１７，Ｓ４）は、上記領域分離画像転写手段によって上記搬送ベルト上に転写されたモノクロ文字領域またはカラー文字領域に対応するトナー像を上記反射型フォトセンサ（１７）で検知するものであって、上記パラメータ調整手段（２０，Ｓ６）は、上記領域分離画像検知手段によって検知されたモノクロ文字領域またはカラー文字領域に対応するトナー像の数が、テスト原稿画像に含まれるモノクロ文字領域またはカラー文字領域の数と一致しない場合に、上記領域分離手段によってモノクロ文字領域とカラー文字領域とを分離する際に用いるパラメータを調整するものであることを特徴とする請求項１記載のデジタル複写機（１）である。
【０００８】
この構成によれば、搬送ベルト上に転写されたテスト原稿画像の領域分離後の画像データに基づくトナー像（モノクロ文字領域またはカラー文字領域に対応するトナー像）を反射型フォトセンサで検知し、そのモノクロ文字領域またはカラー文字領域に対応するトナー像の数がテスト原稿画像に含まれるモノクロ文字領域またはカラー文字領域の数と一致しない場合に、モノクロ文字領域とカラー文字領域とを領域分離する際に用いるパラメータを調整することができる。したがって、製品（デジタル複写機）ごとに同じテスト原稿を用いて領域分離のパラメータの調整を行うことにより、製品ごとにモノクロ文字領域とカラー文字領域とを領域分離した結果にばらつきが生じるのを防止できる。
【発明を実施するための最良の形態】
【０００９】
以下には、図面を参照して、この発明の実施形態について具体的に説明する。
図１は、この発明の一実施形態に係るデジタルカラー複写機１の内部構成を示す概略断面図である。
図１を参照して、このデジタルカラー複写機１は、スキャナ（図示せず）で読み取った原稿のカラー画像データ（レッド（Ｒ）、グリーン（Ｇ）およびブルー（Ｂ）の各濃度値データ）に基づいて、画像形成部２でシアン（Ｃ）、マゼンタ（Ｍ）、イエロー（Ｙ）およびブラック（ＢＫ）の各色トナーを用紙に順次重ね合わせることによりフルカラー画像を形成することができる、いわゆるタンデム型のデジタルカラー複写機である。
【００１０】
画像形成部２には、各色トナーに対応する略円筒状の４つの感光体ドラム（マゼンタに対応する感光体ドラム３Ｍ、シアンに対応する感光体ドラム３Ｃ、イエローに対応する感光体ドラム３Ｙおよびブラックに対応する感光体ドラム３ＢＫ）が、この順序で左右方向に一定間隔を空けて配置されている。
各感光体ドラム３Ｍ〜３ＢＫの周囲には、ＬＳＵ（レーザ走査ユニット）４Ｍ，４Ｃ，４Ｙ，４ＢＫ、現像装置５Ｍ，５Ｃ，５Ｙ，５ＢＫ、転写装置６Ｍ，６Ｃ，６Ｙ，６ＢＫおよびクリーニング装置７Ｍ，７Ｃ，７Ｙ，７ＢＫなどが対応付けて配置されている。画像形成時には、各感光体ドラム３Ｍ〜３ＢＫが図１における反時計回りに回転され、これらの感光体ドラム３Ｍ〜３ＢＫの表面がメインチャージャ（図示せず）によって一様に正電位に帯電された後、ＬＳＵ４Ｍ〜４ＢＫによって各感光体ドラム３Ｍ〜３ＢＫの表面に画像データに基づく光が照射されることにより、各感光体ドラム３Ｍ〜３ＢＫの表面にいわゆる静電潜像が形成される。各現像装置５Ｍ〜５ＢＫには、負電位に帯電された各色トナーが収容されていて、静電潜像が形成された各感光体ドラム３Ｍ〜３ＢＫの表面には、各現像装置５Ｍ〜５ＢＫにより対応する色のトナーが静電気的に付着されて、トナー像が形成される。
【００１１】
画像形成時には、用紙カセット８に収容されている用紙が、給紙ローラ９により用紙搬送路１０へと送り出され、この用紙搬送路１０を通って画像形成部２側へと搬送されて、その先端部がレジストローラ１１に到達した時点で一旦停止される。
レジストローラ１１に対して用紙搬送方向下流側には、１対のベルト用ローラ１２１に所定の張力で掛け回された搬送ベルト１２が配置されている。この搬送ベルト１２は、左端の感光体ドラム３Ｍの左側下方から右端の感光体ドラム３ＢＫの右側下方まで左右方向にまっすぐ延びていて、その上側部分の上面が４つ感光体ドラム３Ｍ〜３ＢＫの表面に当接している。画像形成時には、１対のベルト用ローラ１２１が図１における時計回りに回転されることにより、搬送ベルト１２が時計回りに回転し、レジストローラ１１から所定のタイミングで送り出された用紙が搬送ベルト１２によって下流側（右側）に搬送される。
【００１２】
各感光体ドラム３Ｍ〜３ＢＫの下方には、搬送ベルト１２の上側部分を挟んで転写装置６Ｍ〜６ＢＫが配置されている。搬送ベルト１２と各感光体ドラム３Ｍ〜３ＢＫとの間を通って用紙が搬送される過程で、各転写装置６Ｍ〜６ＢＫにトナーが有する電位（負電位）と逆極性（正電位）の電圧がそれぞれ印加されることによって、対応する感光体ドラム３Ｍ〜３ＢＫの表面に付着しているトナーが静電気的に転写装置６Ｍ〜６ＢＫ側に引き寄せられて用紙に転写される。トナー像転写後に各感光体ドラム３Ｍ〜３ＢＫの表面に残留しているトナーは、各感光体ドラム３Ｍ〜３ＢＫに対応して設けられたクリーニング装置７Ｍ〜７ＢＫによって回収される。
【００１３】
トナー像が転写された後の用紙は、搬送ベルト１２によって定着装置１３へと導かれ、所定の定着処理が施された後、機外に配置された排出トレイ１４上に排出される。定着装置１３には、所定の定着温度に加熱される熱ローラ１３１と、熱ローラ１３１に対して所定の定着圧力で圧接された圧ローラ１３２とが備えられている。熱ローラ１３１と圧ローラ１３２との間を用紙が通過することにより、用紙に転写されたトナー粒子が加熱および加圧されて溶融され、用紙上に定着される。
【００１４】
搬送ベルト１２の下流側上方には、反射型フォトセンサ１７が配置されている。この反射型フォトセンサ１７は、搬送ベルト１２の用紙搬送方向に対して直交する方向の中央部において搬送ベルト１２の表面に対向している。反射型フォトセンサ１７は、搬送ベルト１２の表面に向かって光を照射し、受光した反射光に基づく信号を出力するものである。この実施形態では、搬送ベルト１２上に所定のトナー像を転写し、この搬送ベルト１２に転写されたトナー像を反射型フォトセンサ１７で検知して、その検知結果に基づいて原稿画像と出力画像との誤差（濃度誤差や色ずれなど）を補正する処理を行うことができるようになっている。
【００１５】
図２は、デジタルカラー複写機１の電気的構成を示すブロック図である。
図２を参照して、スキャナ１５には、原稿に向けて光を照射するための光源１５１と、原稿からの反射光を受光してアナログ信号を出力するＣＣＤイメージセンサ１５２とが備えられている。ＣＣＤイメージセンサ１５２は、複数個のＣＣＤ素子がライン状に配列されることにより構成されていて、これらのＣＣＤ素子の配列方向の電気的な主走査と、光源１５１およびＣＣＤイメージセンサ１５２の原稿に対する相対的な移動による副走査とによって、原稿画像の読み取りが達成される。ＣＣＤイメージセンサ１５２から出力されたアナログ信号は、Ａ／Ｄ変換器１６によって多値（たとえば、０〜２５５）のデジタルデータ（画像データ）にＡ／Ｄ変換された後、画像処理部２０に入力される。
【００１６】
画像処理部２０は、スキャナ１５から入力された画像データに対して所定の画像処理を施すためのものである。画像処理部２０は、たとえば、マイクロコンピュータを含む構成であって、このマイクロコンピュータがプログラム処理を実行することにより、入力補正部２１、領域分離部２２、出力データ選択部２３、フィルタ処理部２４、ガンマ補正処理部２５およびスクリーン処理部２６などを機能的に備えている。
【００１７】
スキャナ１５から画像処理部２０に入力された画像データは、入力補正部２１において、ＣＣＤイメージセンサ１５２のＣＣＤ素子間の感度のばらつきや光源１５１の配光特性（主走査方向両端部の輝度が低下する特性）のばらつきに起因する読み取り濃度むらを補償するためのシェーディング補正処理、およびシェーディング補正処理後の画像データに対して原稿画像の濃度に比例する階調特性を持たせるための入力γ処理が施される。
【００１８】
入力補正部２１による処理が行われた後の画像データは、領域分離部２２および出力データ選択部２３に入力される。領域分離部２２では、入力された画像データに対して文字領域（文字やライン画像の領域）と網点領域に分離する処理が行われた後、文字領域の画像データに対してモノクロ文字領域とカラー文字領域に分離する処理が行われる（領域分離）。文字領域の画像データをモノクロ文字領域とカラー文字領域に分離する処理は、たとえば、文字領域の各画素のＲＧＢ３色の濃度値から算出される彩度値を所定の閾値ＴＨと比較し、彩度値が閾値ＴＨ以上であればその文字領域をカラー文字領域と判別し、彩度値が閾値ＴＨ未満であればその文字領域をモノクロ文字領域と判別する。領域分離部２２による領域分離の結果は出力データ選択部２３に入力される。
【００１９】
出力データ選択部２３では、入力補正部２１から入力された画像データ（原稿画像全体の画像データ）をそのまま出力するか、または、領域分離部２２によって領域分離された後のいずれかの領域の画像データを出力するかが選択される。通常の画像形成時には、入力補正部２１から入力された原稿画像全体の画像データが出力データ選択部２３からそのままフィルタ処理部２４へと出力される。このとき、領域分離部２２による領域分離の結果もフィルタ処理部２４に入力される。
【００２０】
フィルタ処理部２４に入力された画像データは、領域分離部２２による領域分離の結果に基づいて、領域ごとに異なるフィルタ処理が施される。すなわち、文字領域の画像データはフィルタ処理によって先鋭化される一方、網点領域の画像データはフィルタ処理によって平滑化される。フィルタ処理後の画像データはガンマ補正処理部２５に入力され、ガンマ補正テーブルなどを用いて出力階調特性が補正された後、スクリーン処理部２６においてディザ処理などのスクリーン処理が施され、その後に画像形成部２に与えられる。
【００２１】
この実施形態では、複数の領域（たとえば、モノクロ文字領域やカラー文字領域など）を含む画像が形成されたテスト原稿をスキャナ１５で読み取らせて、そのテスト原稿画像を領域分離部２２で領域分離した後、分離した領域の画像（たとえば、カラー文字領域の画像）に対応するトナー像を搬送ベルト１２上に転写し、そのトナー像を反射型フォトセンサ１７で検知することにより、その検知結果に基づいて領域分離を行う際に用いるパラメータ（たとえば、閾値ＴＨ）を調整する処理（パラメータ調整処理）を行うことができるようになっている。
【００２２】
図３は、パラメータ調整処理に用いるテスト原稿Ｐの一例を示す図である。
図３に示すテスト原稿Ｐには、その短辺方向中央部に、複数本のライン画像（たとえば、７本のカラーライン画像ＣＬ１〜ＣＬ７および３本のモノクロライン画像ＭＬ１〜ＭＬ３の計１０本）が長辺方向に並べて形成されている。カラーライン画像ＣＬ１〜ＣＬ７およびモノクロライン画像ＭＬ１〜ＭＬ３は、それぞれテスト原稿Ｐの短辺方向に沿って延びるライン状の画像である。
【００２３】
図４は、パラメータ調整処理時にデジタルカラー複写機１において行われる制御の流れを示すフローチャートである。
図４を参照して、パラメータ調整処理では、まず、テスト原稿Ｐがスキャナ１５で読み取られて（ステップＳ１）、そのテスト原稿画像の画像データに対して領域分離部２２により領域分離が行われる（ステップＳ２）。その後、出力データ選択部２３において、領域分離部２２によって領域分離された後のカラー文字領域の画像データを出力するよう選択され、カラー文字領域の画像に対応するトナー像が搬送ベルト１２上に転写される（ステップＳ３）。
【００２４】
したがって、領域分離を行う際に用いるパラメータ（たとえば、閾値ＴＨ）が適当な値であれば、搬送ベルト１２上に７本のカラーライン画像ＣＬ１〜ＣＬ７に対応するトナー像が転写されることとなる。このとき、搬送ベルト１２の用紙搬送方向に対して直交する方向の中央部に、カラーライン画像ＣＬ１〜ＣＬ７に対応するトナー像が、用紙搬送方向に並べて転写される。
【００２５】
なお、パラメータ調整処理では、出力データ選択部２３から出力されたカラー文字領域の画像データに対して、フィルタ処理部２４、ガンマ補正処理部２５およびスクリーン処理部２６による処理は行われないようになっている。
搬送ベルト１２上に転写されたトナー像は反射型フォトセンサ１７によって検知され、この反射型フォトセンサ１７からの出力信号に基づいて、搬送ベルト１２上に転写されているカラーライン画像に対応するトナー像の数が検知される（ステップＳ４）。その結果、搬送ベルト１２上に転写されているカラーライン画像に対応するトナー像の数が７本であれば（ステップＳ５でＹＥＳ）、領域分離を行う際に用いるパラメータは適当な値であると判定して、パラメータを調整することなくパラメータ調整処理を終了する。
【００２６】
一方、反射型フォトセンサ１７からの出力信号に基づいて、搬送ベルト１２上に転写されているカラーライン画像に対応するトナー像の数が７本でないと検知された場合には（ステップＳ５でＮＯ）、領域分離を行う際に用いるパラメータは適当な値でないと判定して、パラメータを調整する処理が行われる（ステップＳ６）。具体的には、搬送ベルト１２上に転写されているカラーライン画像に対応するトナー像の数が８本以上と検知された場合は、閾値ＴＨの値がより大きな値に設定されることにより、領域分離の対象となる文字領域がモノクロ文字領域と判別されやすくなるよう調整され、搬送ベルト１２上に転写されているカラーライン画像に対応するトナー像の数が６本以下と検知された場合は、閾値ＴＨの値がより小さい値に設定されることにより、領域分離の対象となる文字領域がカラー文字領域と判別されやすくなるよう調整される。
【００２７】
この実施形態では、搬送ベルト１２上に転写されたテスト原稿画像の領域分離後の画像データに基づくトナー像（カラーライン画像に対応するトナー像）を反射型フォトセンサ１７で検知し、そのカラーライン画像に対応するトナー像の数がテスト原稿画像に含まれるカラーライン画像ＣＬ１〜ＣＬ７の数（７本）と一致しない場合に、モノクロ文字領域とカラー文字領域とを領域分離する際に用いるパラメータ（閾値ＴＨ）を調整することができる。したがって、製品（デジタルカラー複写機１）ごとに同じテスト原稿Ｐを用いて領域分離のパラメータの調整を行うことにより、製品ごとにモノクロ文字領域とカラー文字領域とを領域分離した結果にばらつきが生じるのを防止できる。
【００２８】
特に、デジタルカラー複写機１にもともと備えられている搬送ベルト１２や反射型フォトセンサ１７を用いて領域分離のパラメータの調整を行うことができるので、新たな部材を設けることなく低コストで、製品ごとに領域分離の結果にばらつきが生じるのを防止できる。
この発明は、以上の実施形態の内容に限定されるものではなく、請求項記載の範囲内において種々の変更が可能である。
【００２９】
たとえば、搬送ベルト１２上に転写されたカラーライン画像に対応するトナー像の数がテスト原稿画像に含まれるカラーライン画像ＣＬ１〜ＣＬ７の数と一致しない場合に、モノクロ文字領域とカラー文字領域とを領域分離する際に用いるパラメータ（閾値ＴＨ）を調整するような構成に限らず、搬送ベルト１２上に転写されたモノクロライン画像に対応するトナー像の数がテスト原稿画像に含まれるモノクロライン画像ＭＬ１〜ＭＬ３の数と一致しない場合に、モノクロ文字領域とカラー文字領域とを領域分離する際に用いるパラメータ（閾値ＴＨ）を調整するような構成であってもよい。
【００３０】
テスト原稿Ｐは、複数本のライン画像ＣＬ１〜ＣＬ７，ＭＬ１〜ＭＬ３が形成されたものではなく、他の文字領域の画像（たとえば、モノクロ文字およびカラー文字を含む複数の文字画像）が形成されたものであってもよい。この場合、搬送ベルト１２上に転写されたモノクロ文字またはカラー文字に対応するトナー像の数がテスト原稿画像に含まれるモノクロ文字またはカラー文字の数と一致しない場合に、モノクロ文字領域とカラー文字領域とを領域分離する際に用いるパラメータ（閾値ＴＨ）を調整するような構成であってもよい。
【００３１】
また、テスト原稿Ｐは、文字領域の画像（文字やライン画像）が形成されたものに限らず、他の領域（たとえば、モノクロ網点領域およびカラー網点領域を含む複数の網点領域）の画像が形成されたものであってもよい。この場合、搬送ベルト１２上に転写されたモノクロ網点領域またはカラー網点領域に対応するトナー像の数がテスト原稿画像に含まれるモノクロ網点領域またはカラー網点領域の数と一致しない場合に、モノクロ網点領域とカラー網点領域とを領域分離する際に用いるパラメータを調整するような構成であってもよい。
【００３２】
さらに、テスト原稿Ｐは、文字領域や網点領域などのいずれかの領域の画像のみが形成されたものに限らず、複数種類の領域（たとえば、文字領域と網点領域）の画像が形成されたものであってもよい。この場合、搬送ベルト１２上に転写された文字領域または網点領域に対応するトナー像の数がテスト原稿画像に含まれる文字領域または網点領域の数と一致しない場合に、文字領域と網点領域とを領域分離する際に用いるパラメータを調整するような構成であってもよい。
【００３３】
上記実施形態では、この発明の一実施形態としてデジタルカラー複写機１を例にとって説明したが、たとえば、搬送ベルト１２上に転写された文字領域または網点領域に対応するトナー像の数がテスト原稿画像に含まれる文字領域または網点領域の数と一致しない場合に、文字領域と網点領域とを領域分離する際に用いるパラメータを調整するような構成を採用する場合などには、この発明をデジタルモノクロ複写機に適用することも可能である。
【００３４】
また、この発明は、タンデム型のデジタル複写機に限らず、１つの感光体ドラムの表面に単色または複数色のトナーを付着させてトナー像を形成するようなデジタル複写機にも適用可能である。
【図面の簡単な説明】
【００３５】
【図１】この発明の一実施形態に係るデジタルカラー複写機の内部構成を示す概略断面図である。
【図２】デジタルカラー複写機の電気的構成を示すブロック図である。
【図３】パラメータ調整処理に用いるテスト原稿の一例を示す図である。
【図４】パラメータ調整処理時にデジタルカラー複写機において行われる制御の流れを示すフローチャートである。
【符号の説明】
【００３６】
１  デジタルカラー複写機
２  画像形成部
１２  搬送ベルト
１５  スキャナ
１７  反射型フォトセンサ
２０  画像処理部
２２  領域分離部
【図１】
2005184257.tif 000003
【図２】
2005184257.tif 000004
【図３】
2005184257.tif 000005
【図４】
2005184257.tif 000006